(57)【特許請求の範囲】
【請求項１】
ブラジャー類のストラップ左右末端（１，３）に取り付けられる左右留め具（５，７）であって、
雄側留め具（７）は、少なくとも１列あり、１列あたり少なくとも１個の合成樹脂製の雄側スナップボタン（６）を雄側生地テープ（１８）に成形固定した雄側テープ断片（１８ａ）と、
雌側留め具（５）は、少なくとも１列あり、１列あたり少なくとも１個の合成樹脂製の雌側スナップボタン（４）を雌側生地テープ（３０）に成形固定した雌側テープ断片（３０ａ）とからなるものであって、
前記雄側スナップボタン（６）は、係合突起（２０）を雄側生地テープ（１８）から直接起立させたものであって、前記雄側生地テープ（１８）接合面付近にベースとなる膨らみがなく、
前記雄側スナップボタン（６）及び雌側スナップボタン（４）の外観が表から見ても裏から見てもリング状であることを特徴とするブラジャー類の留め具。
【請求項２】
雄側テープ断片（１８ａ）及び雌側テープ断片（３０ａ）の上下端部（テープ切断部）（１３，１５，２７，２９）が超音波溶接され、遊端部（１７，３１）及びスナップボタン近辺（１９，３３）が縫合接着されている請求項１記載の留め具。
【請求項３】
雄側テープ断片（１８ａ）及び雌側テープ断片（３０ａ）の下側に補強基布（９，２５）が設けられている請求項１又は２記載の留め具。
【請求項４】
ブラジャー類のストラップ左右末端（１，３）に取り付けられる左右留め具（５，７）の製造方法であって、
複数列あり、１列あたり少なくとも１個の合成樹脂製の雄側スナップボタン（６）を成形固定した雄側生地テープ（１８）から少なくとも１列の雄側断片（１８ａ）を切り出して、雄側留め具（７）とし、
複数列あり、１列あたり少なくとも１個の合成樹脂製の雌側スナップボタン（４）を成形固定した雌側生地テープ（３０）から少なくとも２列の雌側テープ断片（３０ａ）を切り出して、雌側留め具（５）とし、
ここで、前記雄側スナップボタン（６）は、係合突起（２０）を雄側生地テープ（１８）から直接起立させたものであって、前記雄側生地テープ（１８）接合面付近にベースとなる膨らみがなく、
前記雄側スナップボタン（６）及び雌側スナップボタン（４）の外観が表から見ても裏から見てもリング状である
前記雌雄留め具（５，７）をブラジャー類のストラップ左右末端（１，３）に取り付けたことを特徴とするブラジャー類の留め具の製造方法。
【請求項５】
雄側スナップボタン（６）を成形する際に、ファスナ成形用空間を形成した上下金型間に、溶融樹脂が成形圧力によって通過浸透する粗さの無孔の生地テープ（１８）を配設し、雄側スナップボタン（６）の係合突起（２０）内側に位置するくぼみ部分の生地テープを前記上下金型で挟み込み固定し、その後、合成樹脂を前記成形空間内に射出し、生地テープ両面に形成される雄側スナップボタンの表面部側と裏面部側とを生地テープ（１８）を透過する合成樹脂によって一体化させた請求項４記載の方法。
【請求項６】
雌側スナップボタン（４）を成形する際に、ファスナ成形用空間を形成した上下金型間に、溶融樹脂が成形圧力によって通過浸透する粗さの無孔の生地テープ（３０）を配設し、雌側スナップボタン（４）の係合くぼみ（３２）部分の生地テープを前記上下金型で挟み込み固定し、その後、合成樹脂を前記成形空間内に射出し、生地テープ両面に形成される雄側スナップボタンの表面部側と裏面部側とを生地テープ（３０）を透過する合成樹脂によって一体化させた請求項４記載の方法。
【請求項７】
請求項１ないし３のいずれかに記載のブラジャー類の留め具（５，７）を有するブラジャー類。
【発明の詳細な説明】
【０００１】
【発明の属する技術分野】
本発明は、ブラジャー類の留め具、その製造方法及びそれを用いたブラジャーに関する。ここで、「ブラジャー類」とは、少なくともカップとストラップ左右末端を有する女性用衣類で、ブラジャー、水着、ランジェリー、コルセットを含む。以下の説明では、ブラジャーを例にとって説明する。
【０００２】
【従来の技術】
ブラジャーの留め具は、着用者の背中側又は前側の左右ストラップ端部に設けられ、両者を互いに係合させることにより、着用者に固定される。ストラップ端部は、着用者の体格に合わせて数段階に長さの調節が可能なようになっているのが普通である。
【０００３】
この留め具として最も一般的なのは、ホック・アンド・アイレット方式のものである。この従来の留め具は、金属で製造されることが多いため、（１）他の衣服にかぎ裂きを作りやすい、（２）洗濯時に損傷しやすい、（３）他の部分と同じ色に着色するのが難しい、というような欠点がある。
【０００４】
そこで、特開２００１−１７８５０７では、この留め具をプラスチック製のスナップボタンとすること、これをテープ付きスナップファスナから作成することを提案している。
【０００５】
【発明が解決しようとする課題】
しかし、特開２００１−１７８５０７の発明で使用するスナップボタンは雌雄ボタンともベース部を有するので、両者を係合させたときに厚みが分厚くなってしまうという欠点がある。
【０００６】
本発明も、基本的には特開２００１−１７８５０７の考えを承継するものであるが、次の特徴を有するブラジャー留め具を提供することを目的としている。
（１）使用するスナップボタンの改良することにより、雌雄ボタンを係合させたときにも厚みが従来のものよりも薄いものとする。
（２）全般的に強度を高めて、耐久性のあるものとする。
【０００７】
本発明はまたそのようなブラジャー類の留め具の製造方法及びそれを用いたブラジャー類も提供する。
【０００８】
【課題を解決するための手段】
本願第１発明は、ブラジャー類のストラップ左右末端に取り付けられる左右留め具であって、雄側留め具は、少なくとも１列で、１列あたり少なくとも１個の合成樹脂製の雄側スナップボタンを雄側生地テープに成形固定した雄側テープ断片と、雌側留め具は、少なくとも１列で、１列あたり少なくとも１個の合成樹脂製の雌側スナップボタンを雌側生地テープに成形固定した雌側テープ断片とからなるものであって、前記雄側スナップボタンは、係合突起を雄側生地テープから直接起立させたものであって、前記雄側生地テープ接合面付近にベースとなる膨らみがなく、前記雄側スナップボタン及び雌側スナップボタンの外観が表から見ても裏から見てもリング状であることを特徴とする。
【０００９】
本願第２発明は、ブラジャー類のストラップ左右末端に取り付けられる左右留め具の製造方法であって、複数列あり、１列あたり少なくとも１個の合成樹脂製の雄側スナップボタンを成形固定した雄側生地テープから少なくとも１列の断片を切り出して雄側留め具とし、複数列あり、１列あたり少なくとも１個の合成樹脂製の雌側スナップボタンを成形固定した雌側生地テープから少なくとも２列の雌側テープ断片を切り出して雌側留め具とし、ここで、前記雄側スナップボタンは、係合突起を雄側生地テープから直接起立させたものであって、前記雄側生地テープ接合面付近にベースとなる膨らみがなく、前記雄側スナップボタン及び雌側スナップボタンの外観が表から見ても裏から見てもリング状であり、前記雌雄留め具をブラジャーストラップ左右末端に取り付けたことを特徴とする。
【００１０】
本願第３発明は、上記のブラジャー類の留め具を有することを特徴とするブラジャー類である。
【００１１】
【発明の実施の態様】
雄側テープ断片及び雌側テープ断片の上下端部（テープ切断部）が超音波溶接で十分であるが、遊端部及びスナップボタン近辺は強度を高めるために縫合接着することが好ましい。
【００１２】
また、同じ目的で雄側テープ断片及び雌側テープ断片の下側に補強基布を設けるのが好ましい。
【００１３】
前記雄側スナップボタン及び雌側スナップボタンの外観は表から見ても裏から見てもリング状であるのが、美観上好ましい。孔のあけられていないテープを使用するので、リングの中央にはテープが露出する。
【００１４】
雄側スナップボタンを成形する際には、ファスナ成形用空間を形成した上下金型間に、溶融樹脂が成形圧力によって通過浸透する粗さの無孔の生地テープを配設し、雄側スナップボタンの係合突起内側に位置するくぼみ部分の生地テープを前記上下金型で挟み込み固定し、その後、合成樹脂を前記成形空間内に射出し、生地テープ両面に形成される雄側スナップボタンの表面部側と裏面部側とを生地テープを透過する合成樹脂によって一体化させるのが好ましい。
【００１５】
雌側スナップボタンを成形する際には、ファスナ成形用空間を形成した上下金型間に、溶融樹脂が成形圧力によって通過浸透する粗さの無孔の生地テープを配設し、雌側スナップボタンの係合くぼみ部分の生地テープを前記上下金型で挟み込み固定し、その後、合成樹脂を前記成形空間内に射出し、生地テープ両面に形成される雄側スナップボタンの表面部側と裏面部側とを生地テープを透過する合成樹脂によって一体化させるのが好ましい。
【００１６】
【実施例】
以下、添付の図面に基づき本発明の実施例を説明する。
【００１７】
図１は、本発明実施例に係るブラジャーの留め具を設けたブラジャーストラップの両端部の平面図である。（ａ）は左端部１、（ｂ）は右端部３である。図２（ａ）は図１における２（ａ）−２（ａ）線断面図、図２（ｂ）は図１における２（ｂ）−２（ｂ）線断面図である。
【００１８】
図１（ａ）の左側端部１には左側留め具５が設けられ、２列にわたって２個ずつ雌側スナップボタン４が設けられている。図１（ｂ）の右側端部３には右側留め具７が設けられ、２個の雄側スナップボタン６が設けられている。左右留め具の雌雄スナップボタン４，６を係合させることにより、左右のブラジャーストラップ端部１，３同士が結合される。この結合部は背中側の場合が多いが、前側でもよい。
【００１９】
図３−８に基づいて、本発明で使用するスナップボタン４，６及びその製造方法を説明する。図３は、スナップボタンの原料となるテープ付きファスナ２を接合面側から見た平面図であり、（ａ）は雌側スナップボタン４側のテープ３０、（ｂ）は雄側スナップボタン６側のテープ１８である。各スナップボタン４、６はほぼリング状の外観を有する。各スナップボタンの反対側は図示していないが、やはりそれぞれリング状の外観を有する。ただし、反対側のリングの幅は、後記する成形上の理由により、やや太くなる。
【００２０】
雌側テープ３０は両端を折り返してスナップボタン位置では二重にして使用している。雄側テープ１８も両側を折り返しており、スナップボタン位置では二重にして使用している。両方のテープともスナップボタン取付け用の孔はあけられていない。後記するようにその必要がないからである。
【００２１】
図４は雄側スナップボタン６の平面図、図５は断面図である。このスナップボタン６は、従来の雄側スナップボタンと異なり、図５に示すように、生地テープ付近のベースが実質的に存在しない。図面では、生地テープ１８との接合面がやや膨らんでいるが、この程度の膨らみはベースと見なさないし、設計次第でほぼ完全にこれをなくすこともできる。
【００２２】
雄側スナップボタンの係合用突起２０は、先端部周囲に係合用膨出縁２２と樹脂弾性による拡縮変形のための凹部２４を有する。
【００２３】
この雄側スナップボタン６を成形するには、ファスナ成形用空間を形成した上下金型（図示せず）間に、溶融樹脂が成形圧力によって通過浸透する粗さの、孔のあけられていない生地テープ１８を配設し、係合突起２０内側に位置するくぼみ部分２８の生地テープを前記上下金型で挟み込み固定し、その後、合成樹脂を前記成形空間内に射出する。図５の符号２６の小さなくぼみが金型の射出口に相当する。この射出口設定のために裏面側から見たリング幅が係合突起２０の幅（即ち、表側から見たリング幅）よりもやや幅広となる。
【００２４】
このようにして、生地テープ１８両面に形成される雄側スナップボタンの表面側と裏面側とが生地テープ１８を透過する合成樹脂によって一体化される。このファスナ側スナップボタンは、上記したように係合突起２０内側に位置するくぼみ部分２８に位置する生地テープが上下金型で挟まれて固定されているので、高い射出圧にむき出しでさらされる生地テープの面積が従来技術に比べて小さくなった。そのため、テープが成形時に射出圧により歪んだり、波打つようなことがないほとんどなくなる。その結果、テープが合成樹脂表面から露出して、ファスナの強度を落とし、美観を損なうような事態を避けることができる。
【００２５】
テープ生地１８としては、溶融されることなく溶融樹脂が透過する生地であることが必要で、織物でも編物でもよく、例えば木綿生地、混紡生地等を採用することができる。合成樹脂としては、熱可塑性樹脂、例えばポリアセタール溶融樹脂を使用することができる。
【００２６】
図６は雌側スナップボタン４の平面図であり，図７は断面図である。生地テープ３０を鋏んで合成樹脂により係合用くぼみ３２を形成している。雌側スナップボタンの係合用くぼみ３２は、その開口部内側に型抜きを許容する範囲の係合用縁３４を形成している。
【００２７】
この雌側スナップボタンの成型方法は雄側スナップボタン６のそれとほぼ同様であるので、詳細な説明を省略する。図７の符号３６の小さなくぼみが樹脂注入口である。
【００２８】
本発明の雄側スナップボタン６と雌側スナップボタン４を係合させた状態の断面を図８に示す。ブラジャー留め具における雌雄スナップボタンの係合状態の拡大図とみなすことができる。
【００２９】
本発明では、これらの雌側テープ３０及び雄側テープ１８を図３のテープ付きスナップファスナ２から一点鎖線で切断し、ブラジャー留め具として使用する。ただし、これを単にブラジャーストラップに縫いつけるだけでは強度的に弱いので、次のようにして強度を上げている。
【００３０】
雌側スナップボタン４を有する左側留め具５では、図２（ａ）に示すように、下部（着用者側）に不織布からなる基布９を設けている。その基布の両端は折り返して二重９ａ，９ｂとなっている。その基布９の上に上記した雌側スナップボタン４を有する雌側テープ断片３０ａが乗せられている。基布９は、雌側テープ断片３０ａよりも若干長く形成されていて、長さを揃えるために、中間布１１が縫合により雌側テープ断片３０ａに接続されている。
【００３１】
上記の状態で、上下端部１３，１５（図１（ａ）参照）が超音波溶接されている。遊端部１７も超音波溶接してもよいが、この部分は特に強度が必要であるので、縫合が好ましい。さらに強度を上げるため、２列のスナップボタンの中間部１９においても縫合されている。
【００３２】
この左側留め具５と左側ブラジャーストラップ左端部１を接合するには、左側ブラジャーストラップ左端部１を留め具の基布９と中間布１１の間に挟み、中間布１１の両端２１，２３を縫合により固定する。
【００３３】
雄側スナップボタン６を有する右側留め具７では、図２（ｂ）に示すように、下部（着用者側）に三重の基布２５を設けている。基布の両端は折り返して二重２５ａ，２５ｂとなっており、間に芯材２５ｃが挿入されているからである。その基布２５の上に上記した雄側スナップボタン６を有する雄側テープ断片１８ａが乗せられている。
【００３４】
上記の状態で、上下端部２７，２９（図１（ｂ）参照）が超音波溶接されている。遊端部３１も超音波溶接してもよいが、この部分は特に強度が必要であるので、縫合が好ましい。さらに強度を上げるため、スナップボタンの近辺３３においても縫合している。
【００３５】
この右側留め具７と右側ブラジャーストラップ右端部３を接合するには、右側ブラジャーストラップ右端部３を留め具の基布２５と雄側テープ断片１８ａの間に挟み、その位置３５を縫合により固定する。
【００３６】
【発明の効果】
本発明によれば、留め具において使用する雄側スナップボタン６は、係合突起２０を、ベースを介することなく、生地テープ３０から直接起立させたものであるので、雌雄スナップボタン４と係合させたときにもそのベース分だけ厚みを減らすことができる。本願発明における係合状態を示す図８では上下生地の間はｔ１であるのに対して、従来技術における係合状態を示す図９では上下生地の間はｔ２であることにより明らかである。
【００３７】
また、本発明の留め具は、補強基布９，２５を設けるとともに縫合部１７，１９，２１，２３，３１，３５を多用しているので強度的に強化されている。
【図面の簡単な説明】
【図１】本発明のブラジャー留め具を設けたブラジャーストラップの両端部の平面図である。（ａ）は左端部１、（ｂ）は右端部３である。
【図２】図２（ａ）は図１における２（ａ）−２（ａ）線断面図、図２（ｂ）は図１における２（ｂ）−２（ｂ）線断面図である。
【図３】本発明に係るテープ付きファスナ２を接合面側から見た平面図であり、(a)は雌側スナップボタン４側、(b)は雄側スナップボタン６側である。
【図４】本発明の雄側スナップボタン６の平面図である。
【図５】本発明の雄側スナップボタン６の断面図である。
【図６】雌側スナップボタン４の平面図である。
【図７】雌側スナップボタン４の断面図である。
【図８】本発明の雄側スナップボタン６と雌側スナップボタン４を係合させた状態の断面図である。
【図９】従来技術によるの雄側スナップボタン６０と雌側スナップボタン４０を係合させた状態の断面図である。
【符号の説明】
１       ブラジャーストラップ左端部
２       スナップファスナ
３       ブラジャーストラップ右端部
４       雌側スナップボタン
６       雄側スナップボタン
９       基布
１１     中間布
１７     遊端部
１８     雄側テープ
１８ａ   雄側テープ断片
１９     中間部
２０     係合突起
２２     係合用膨出縁
２４     凹部
２５     基布
１３，１５         上下端部
３０     雌側テープ
３０ａ   雌側テープ断片
３１     遊端部
１７，１９，２１，２３，３１，３５    縫合部
【図１】
0003939965.tif 000002
【図２】
0003939965.tif 000003
【図３】
0003939965.tif 000004
【図４】
0003939965.tif 000005
【図５】
0003939965.tif 000006
【図６】
0003939965.tif 000007
【図７】
0003939965.tif 000008
【図８】
0003939965.tif 000009
【図９】
0003939965.tif 000010